(57)【要約】【課題】  上着の胴部を巻き上げて固定できることで、排泄等の邪魔にならない上着を提供することにある。【解決手段】  上着本体の胴部の裾部に設けられた下部連結部材と、上着本体の肩部に設けられた上部連結部材とを備え、胴部を肩部方向に捲り上げ、上部連結部材に下部連結部材を連結し、胴部を捲り上げた状態で、胴部を肩部に着脱自在に固定可能であることを特徴とし、また、上部連結部材が、上着本体の首開口に設けられたスリットを開閉自在にする首スリット連結部材を兼ねることを特徴とする。【選択図】図１
2018193651.tif 000002
【特許請求の範囲】
【請求項１】
胴部の捲り上げが可能な上着において、
上着本体の胴部の裾部に設けられた下部連結部材と、
該上着本体の肩部に設けられた上部連結部材とを備え、
該胴部を該肩部方向に捲り上げ、該上部連結部材に該下部連結部材を連結し、該胴部を捲り上げた状態で、該胴部を該肩部に着脱自在に固定可能であることを特徴とする上着。
【請求項２】
前記上部連結部材が、前記上着本体の首開口に設けられたスリットを開閉自在にする首スリット連結部材を兼ねることを特徴とする請求項１記載の上着。
【請求項３】
前記下部連結部材及び前記上部連結部材が、前記上着の正面側及び背面側のいずれにも設けられていることを特徴とする請求項１又は請求項２記載の上着。
【請求項４】
前記上着の胴部の裾部の左右又は左右のいずれかに、少なくとも１つの上方に向かって設けられた胴部スリットを備えることを特徴とする請求項１〜請求項３のいずれかに記載の上着。
【請求項５】
前記下部連結部材が、前記上着の胴部の近傍から突出する突出片の端部に設けられていることを特徴とする請求項１〜請求項４のいずれかに記載の上着。
【請求項６】
前記上着の胴部を捲り上げないときに前記下部連結部材を固定する下部連結部材固定部材を、該胴部に設けることを特徴とする請求項５記載の上着。
【請求項７】
前記上部連結部材が、衣類装飾を兼ねていることを特徴とする請求項１〜請求項６のいずれかに記載の上着。
【発明の詳細な説明】
【技術分野】
【０００１】
本発明は、胴部の捲り上げが可能な上着に関する。
【背景技術】
【０００２】
従来より、衣服の種類や構造によって、幼児や高齢者がトイレで便座に座る時に衣服の着脱が困難であったり、介助支援する人が衣服の着脱を手伝いにくい場合がある。そこで、特許文献１や特許文献２に示されるような衣類が提案されている。
【０００３】
特許文献１の介護用衣類は、被着用者の下肢を覆う一対の裾部と、下肢を覆う裾部に延設される股上部分とからなり、股上部分の下部の股部中心から背面側上方に向かって開口部を備えるとともに、各一端が被着用者の使用する簡易便器を備えた車椅子の側部の係止手段に係止可能で、他端が股上部分もしくは裾部の側部にそれぞれ係止され、開口部を開いた状態に保つ一対の紐を備えた構成となっている。
【０００４】
特許文献２のスラックスは、スラックスの両脇に開閉自在のファスナーを取り付けると共に着用者の胴に全身頃胴部より両側に取り付けた紐２によって身体に保止させ、裾が床面に落ちないようにすることで、高齢者の人が本人若しくは介助の人が容易に後スラックス部分だけ開いて用便することができるようにしている。
【先行技術文献】
【特許文献】
【０００５】
【特許文献１】特開２００９−２５６８４７号公報
【特許文献２】実用新案登録第３０７２７８５号公報
【発明の概要】
【発明が解決しようとする課題】
【０００６】
しかしながら、従来の介護用衣類等では、上着の裾全体を捲り上げて固定できる構造ではないため、上着が排泄等の邪魔になったりと不便があった。
【０００７】
本発明は、このような事情に鑑みてなされたもので、上着の胴部を巻き上げて固定できることで、排泄等の邪魔にならない上着を提供することにある。
【課題を解決するための手段】
【０００８】
請求項１記載の上着は、上着本体の胴部の裾部に設けられた下部連結部材と、上着本体の肩部に設けられた上部連結部材とを備え、胴部を肩部方向に捲り上げ、上部連結部材に下部連結部材を連結し、胴部を捲り上げた状態で、胴部を肩部に着脱自在に固定可能であることを特徴とする。
【０００９】
請求項２記載の上着は、上部連結部材が、上着本体の首開口に設けられたスリットを開閉自在にする首スリット連結部材を兼ねることを特徴とする。
【００１０】
請求項３記載の上着は、下部連結部材及び上部連結部材が、上着の正面側及び背面側のいずれにも設けられていることを特徴とする。
【００１１】
請求項４記載の上着は、上着の胴部の裾部の左右又は左右のいずれかに、少なくとも１つの上方に向かって設けられた胴部スリットを備えることを特徴とする。
【００１２】
請求項５記載の上着は、下部連結部材が、上着の胴部の近傍から突出する突出片の端部に設けられていることを特徴とする。
【００１３】
請求項６記載の上着は、上着の胴部を捲り上げないときに下部連結部材を固定する下部連結部材固定部材を、胴部に設けることを特徴とする。
【００１４】
請求項７記載の上着は、上部連結部材が、衣類装飾を兼ねていることを特徴とする。
【発明の効果】
【００１５】
本願の発明によれば、上着の胴部を巻き上げて固定できることで、上着が排泄等の邪魔にならない。
【図面の簡単な説明】
【００１６】
【図１】本発明に係る上着の一例を示す説明図である。
【図２】同上着の詳細な構成を示す説明図である。
【図３】同上着のスリットの例を示す説明図である。
【図４】同上着のスリットの他の例を示す説明図である。
【図５】同上着の使用方法を示す説明図である。
【図６】同上着の使用方法を示す説明図である。
【図７】同上着の他の形態を示す説明図である。
【発明を実施するための形態】
【００１７】
以下、本発明の形態について図面を参照しながら具体的に説明する。図１は、本発明に係る上着一の例を示す説明図である。図２は、同上着の詳細な構成を示す説明図である。図３は、同上着のスリットの例を示す説明図である。図４は、同上着のスリットの他の例を示す説明図である。図５及び図６は、同上着の使用方法を示す説明図である。図７は、同上着の他の形態を示す説明図である。
【００１８】
本実施の形態に係る上着１は、胴部の捲り上げが可能なもので、その詳細を以下に説明する。上着１は、上着本体の胴部２の裾部に設けられた下部連結部材であるホック１２，２２と、上着本体の肩部４に設けられた上部連結部材であるホック３０，４０とを備え、胴部２を肩部４の方向に捲り上げ、上部連結部材であるホック３０に下部連結部材であるホック１２を、上部連結部材であるホック４０に下部連結部材であるホック２２をそれぞれ連結し、胴部２を捲り上げた状態で、胴部２を肩部４に着脱自在に固定可能とするものである。
【００１９】
尚、下部連結部材であるホック１２，２２を直接胴部２に設けるようにしてもよいが、図１〜図６に示す上着１の例では、下部連結部材であるホック１２，２２を、上着１の胴部２の近傍から突出する突出片１０，２０の端部に設けるようにしている。このように、突出片１０，２０に設けることで、突出片１０，２０の長さを調整することで、胴部２の捲り上げの高さ等を調整することができる。
【００２０】
また、突出片１０，２０を設けた上で、胴部２を捲り上げないときに下部連結部材であるホック１２，２２を固定する下部連結部材固定部材であるホック１４，２４を、胴部２に設けることもできる。これにより、突出片１０，２０が邪魔になったり、下部連結部材であるホック１２，２２がむき出しになったりしないようにすることができる。
【００２１】
図１〜図６に示す上着１は、首の部分の首開口６の左右にスリット８を有する形のもので、スリット８を開閉自在に閉じるものとして、ホック３０，３４，３２，３６及びホック４０，４２，４４，４６が設けられている。ここで、上述のように、ホック３０，４０は、スリット８を開閉自在とする首スリット連結部材と、上部連結部材とを兼ねるようにして部品点数を抑えているが、必ずしもこのような構成をとる必要はない。
【００２２】
また、排泄等のしやすさを考慮すると、図６に示すように、下部連結部材であるホック５２，６２及び上部連結部材を、上着１の正面側だけでなく背面側のいずれにも設けるようにしてもよい。本実施の形態の例では、正面側同様に突出片５０，６０にホック５２，６２を設けるようにし、上部連結部材は、首スリット連結部材と兼ねるホック３６，４６である。
【００２３】
尚、上着１の正面側と背面側とで、首に近い側の下部連結部材と上部連結部材との組み合わせを用いるか、首に遠い側の下部連結部材と上部連結部材との組み合わせを用いるかは、適宜定めるようにすればよく、限定されるものではない。
【００２４】
さらに、図３及び図４に示すように、胴部２の捲り上げしやすくするために、上着１の胴部２の裾部の左右又は左右のいずれかに、少なくとも１つの上方に向かって胴部スリット２ｃ，２ｄ，２ｅを設けるようにしてもよい。図３の例では、上着１の前胴部２ａの突出片２０及びホック２２の正面側にスリット２ｃを設け、後胴部２ｂの突出片６０及びホック６２の背面側にスリット２ｄを設けており、これを左右に設けると合計で４つのスリットを備えるような形態である。また、図４の例では、上着１の胴部２の脇の裾部にスリット２ｅを備える形態である。
【００２５】
また、上着１では、上部連結部材を単独又は首スリット連結部材と兼ねて設けるようにしているが、図７に示す上着７０のように、上部連結部材が、衣類装飾７２を兼ねて設けられるようにしてもよい。図７の例では、リボンの装飾の一部として、ホック３０、３４、４０、４４が設けられている例であるが、衣類装飾７２としてはリボンに限られるものではない。
【００２６】
以上のような構成の上着１によれば、上着１の胴部２を巻き上げて固定できることで、上着が排泄等の邪魔にならない。
【００２７】
尚、本実施の形態では、下部連結部材、上部連結部材及び首スリット連結部材を、すべて着脱がしやすいホックにしているが、このような機能を有するものであれば、例えば、面ファスナのようなものでもよく、ホックのみに限定されるものではない。
【産業上の利用可能性】
【００２８】
以上のように、本発明によれば、上着の胴部を巻き上げて固定できることで、排泄等の邪魔にならない上着を提供することができる。
【符号の説明】
【００２９】
１・・・・上着
２・・・・胴部
２ａ・・・前胴部
２ｂ・・・後胴部
２ｃ・・・スリット
２ｄ・・・スリット
２ｅ・・・スリット
４・・・・肩部
６・・・・首開口
８・・・・スリット
１０・・・突出片
１２・・・ホック
１４・・・ホック
２０・・・突出片
２２・・・ホック
２４・・・ホック
３０・・・ホック
３２・・・ホック
３４・・・ホック
３６・・・ホック
４０・・・ホック
４２・・・ホック
４４・・・ホック
４６・・・ホック
５０・・・突出片
５２・・・ホック
６０・・・突出片
６２・・・ホック
７０・・・上着
７２・・・衣類装飾
【図１】
2018193651.tif 000003
【図２】
2018193651.tif 000004
【図３】
2018193651.tif 000005
【図４】
2018193651.tif 000006
【図５】
2018193651.tif 000007
【図６】
2018193651.tif 000008
【図７】
2018193651.tif 000009